(57)【要約】      （修正有）【課題】バックルヘッドが分離式の係止レッグを採用し、係止レッグが折れ難いか或いは損壊し難く、且つバックルヘッドが補修できて係止レッグが取り替え可能なバックルヘッドを提供する。【解決手段】バックルヘッド１の一方端が挿接端２とし、挿接端２の左右両側にそれぞれ摺動可能に着脱できる係止レッグを設けており、バックルがバックル主体及び上記のバックルヘッドを含み、バックルヘッド１がバックル主体に係止可能に嵌合し、またバックルにおけるバックルヘッドが分離式の係止レッグを採用し、係止レッグが折れ難いか或は損壊し難く、且つバックルヘッドが補修できるとともに係止レッグが取り替えることができる。【選択図】図１
0003177500.tif 000002
【実用新案登録請求の範囲】
【請求項１】
バックルヘッド（1）の一方端が挿接端（2）とし、挿接端（2）の左右両側にそれぞれ着脱できる係止レッグ（3）を摺動可能に設けていることを特徴とするバックルヘッド。
【請求項２】
係止レッグ（3）と挿接端（2）との間に係止レッグ（3）を外へ弾き出す弾性体（4）を設けていることを特徴とする請求項1に記載のバックルヘッド。
【請求項３】
挿接端（2）の左右両側にそれぞれバックルヘッド（1）の挿接方向に垂直する案内溝（5）を開設ており、係止レッグ（3）上に案内溝（5）に平行するガイドレール（6）を成型してなり、係止レッグ（3）のガイドレール（6）が挿接端（2）の案内溝（5）内に摺動可能に嵌設されていることを特徴とする請求項1或は2に記載のバックルヘッド。
【請求項４】
挿接端（2）の両側にそれぞれ止め溝（8）を開設けており、係止レッグ（3）上にストップピン（7）を固定し、ストップピン（7）が止め溝（8）に挿入されていることを特徴とする請求項3に記載のバックルヘッド。
【請求項５】
弾性体が（4）スプリングとし、スプリングの第一端嵌が係止レッグ（3）内側面の柱体上に設けられ、スプリングの第二端が挿接端（2）の内側面に突き当てることを特徴とする請求項4に記載のバックルヘッド。
【請求項６】
係止レッグ（3）の末端（9）が内へ彎曲し、係止レッグ（3）の末端（9）が案内曲面を成型してなることを特徴とする請求項5に記載のバックルヘッド。
【請求項７】
バックルヘッド（1）における挿接端（2）に相対する他方端が接続端（10）とすることを特徴とする請求項6に記載のバックルヘッド。
【請求項８】
バックル主体及び？を含むとバックルにおいて、請求項1〜7のいずれも1項に記載のバックルヘッド（1）を更に含み、バックルヘッド（1）がバックル主体に係止可能に嵌合するバックルであることを特徴とするバックル。
【考案の詳細な説明】
【技術分野】
【０００１】
本考案は、バックル技術分野に関し、具体的にバックルヘッド及びバックル（eye-splice）に関する。
【背景技術】
【０００２】
バックルが係止嵌合するためのバックルヘッドとバックル主体とを含み、図1の示すように、バックルヘッド1の一方端が挿接端2とし、バックルヘッド1における挿接端2に対する他方端が接続する端10とし、接続端10でバックルヘッド1にスリング等の接続体を穿設でき、挿接端2が、その対応するバックル主体に挿接嵌合し、挿接端2の左右両側からそれぞれ一つの弾性的な挿接レッグ20を延出し、バックルヘッド1の挿接過程中で、弾性挿接レッグ20が自身の弾性変形によりバックル主体における係合位置に係合して込み、バックルへの嵌合を実現できする。これに同様に、バックルを解くと、弾性挿接レッグ20を押し付ける必要とし、使弾性挿接レッグ20をバックル主体における係合位置から退出することで、バックルを解ける。しかしながら、バックルの使用過程で、挿接レッグ20が何度も折曲げられることにより疲労応力を生じる、挿接レッグ20が折れやすく、挿接レッグ20がバックルヘッド1と一体に成型してなるので、一度すると挿接レッグ20が折れられる場合、バックルヘッド1が使用できなく、且つバックルヘッド1が補修不可で、バックル或はバックルヘッド1が全体として取り替える必要とする。
【考案の概要】
【考案が解決しようとする課題】
【０００３】
本実用新型の目的は、従来技術の不足に対して、バックルヘッドが分離式の係止レッグを採用し、係止レッグが折れ難いか或は損壊し難く、且つバックルヘッドが補修できて係止レッグが取り替える可能なバックルヘッドを提供することにある。
本実用新型の他の目的は、従来技術の不足に対して、バックルにおけるバックルヘッドが分離式の係止レッグを採用し、係止レッグが折れ難いか或は損壊し難く、且つバックルヘッドが補修できて係止レッグが取り替える可能なバックルを提供することにある。
【課題を解決するための手段】
【０００４】
上記の目的を達成するために、本実用新型は以下の技術案によりを実現できる：
バックルヘッドの一方端が挿接端とし、挿接端の左右両側にそれぞれ着脱できる係止レッグを摺動可能に設けているバックルヘッドである。
係止レッグと挿接端との間に係止レッグを外へ弾き出す弾性体を設けている。
【０００５】
挿接端の左右両側にそれぞれバックルヘッドの挿接方向に垂直する案内溝を開設ており、係止レッグ上に案内溝に平行するガイドレールを成型してなり、係止レッグのガイドレール摺動が挿接端の案内溝内に嵌設されている。
挿接端の両側にそれぞれ止め溝を開設けており、係止レッグ上にストップピンを固定し、ストップピンが止め溝に挿入されている。
弾性体がスプリングとし、スプリングの第一端が係止レッグ内側面の柱体上に嵌設され、スプリングの第二端が挿接端の内側面に突き当てる。
係止レッグの末端が内へ彎曲し、係止レッグの末端が案内曲面を成型してなる。
【０００６】
バックルヘッドにおける挿接端に相対する他方端が接続端とする。
バックル主体及び上記のバックルヘッドを含み、バックルヘッドがバックル主体に係止可能に嵌合するバックルである。
本実用新型の有益効果：バックルヘッドの一方端が挿接端とし、挿接端の左右両側にそれぞれ摺動可能に着脱できる係止レッグを設けている。バックルヘッドが分離式の係止レッグを採用し、係止レッグが折れ難いか或は損壊し難く、且つバックルヘッドが補修できるとともに係止レッグが取り替えることができる。
【０００７】
バックルがバックル主体及び上記のバックルヘッドを含み、バックルヘッドがバックル主体に係止可能に嵌合し、またバックルにおけるバックルヘッドが分離式の係止レッグを採用し、係止レッグが折れ難いか或は損壊し難く、且つバックルヘッドが補修できるとともに係止レッグが取り替えることができる。
【図面の簡単な説明】
【０００８】
【図１】従来技術のバックルヘッドの構造見取図；
【図２】本考案の実施例１の構造見取図；
【図３】本考案の実施例１の分解見取図。
【考案を実施するための形態】
【０００９】
バックルヘッド、図2及び3を参照して、バックルヘッド1の一方端が挿接端2とし、挿接端2が対応するバックル主体に挿接嵌合し、バックル主体は相対的な独立する部品であり（バックル主体未図示）、バックルヘッド1が挿接端2に相対する他方端が接続端10とし、接続端10によりバックルヘッド1にスリング等の接続体を穿設できる。
【００１０】
上記挿接端2の左右両側にそれぞれ摺動可能に着脱可能な係止レッグ3を設けている。係止レッグ3は着脱でき、係止レッグ3は一つの独立の部品であり、係止レッグ3が取り替えることができ、バックルヘッド1が補修可能な部品となる。より重要なのは、係止レッグ3が摺動でき、彎曲変形によりバックル動作を実現することなく、係止レッグ3が摺動方式によりバックル動作を実現できるため、係止レッグ3の構造的な強度がより高く、係止レッグ3がより堅実に耐用し、係止レッグ3が損壊されるが容易でなく、係止レッグ3がより折れやすくない。
【００１１】
より一層として指摘挿接端2の左右両側にそれぞれ案内溝5を開設けており、案内溝5がバックルヘッド1の挿接方向に垂直し、係止レッグ3上に案内溝5に平行するガイドレール6を成型してなり、係止レッグ3のガイドレール6が挿接端2の案内溝5内に摺動可能に嵌設けされている。上記係止レッグ3と挿接端2との間に係止レッグ3を外向き弾き出するための弾性体4を設け有、挿接端2の左側面の凹溝及び挿接端2左側の係止レッグ3が一つの案内係合部位として形成し、挿接端2の右側面の凹溝及び挿接端2右側の係止レッグ3が形成一つのガード係合部位として形成する。挿接端2の両側にそれぞれ止め溝8を開設けており、係止レッグ3上にストップピン7を固定しており、ストップピン7が止め溝8内に挿入する。
【００１２】
係止レッグ3を取付する時に、バックルヘッド1の挿接端2の左右両側にそれぞれスプリングを装入して相応の係止レッグ3を挿入し、再びストップピン7を取付すれば、即ちバックルヘッド1の組立動作を完成できるのであり、組立動作が簡単便利である。その反えて、バックルヘッド1を着脱する時、ストップピン7が外れて出すれば、バックルヘッド1の挿接端2の左右両側の係止レッグ3及びスプリングを取り出することができ、着脱動作がより簡単便利である。且つ、バックルヘッド1上にある係止レッグ3及びスプリングとも取り替えることができ、補修に便利になる。
【００１３】
上記弾性体4がスプリングとし、スプリングの第一端が係止レッグ3内側面の柱体上に嵌設し、スプリングの第二端が挿接端2の内側面に突き当てる。上記係止レッグ3の末端9が内向き彎曲し、係止レッグ3の末端9が案内曲面を成型してなる。
【００１４】
案内溝5及びガイドレール6の設置は、係止レッグ3を設定の方向に沿って摺動させ、具体的に、これにより係止レッグ3がバックルヘッド1に垂直する挿接方向のみに沿って摺動しかできない。バックルヘッド1が対応のバックル主体に挿接する時、係止レッグ3が押されてバックルヘッド1の内側方向へ摺動し、係止レッグ3がバックル主体における案内部位を越した後、係止レッグ3がスプリングの作用下で外へ弾き出し、係止レッグ3がバックルヘッド1をバックル主体上にロックアップし、接続的な動作を実現できる。一方、バックルを解く時、係止レッグ3に圧力を加え、係止レッグ3が押されてバックルの内側方向へ摺動し、バックルヘッド1がロック解除状態にあり、この場合には、バックルヘッド1がバックル主体から分離でき、バックルヘッド1とバックル主体とが分離した後、係止レッグ3がスプリングの作用下で外へ弾き出し、係止レッグ3が復位する。
【００１５】
バックルがバックル主体及び上記のバックルヘッドを含み、バックルヘッドがバックル主体に係止可能に嵌合する。バックルヘッドが実施例１にかかる上記のバックルヘッドに同じ、ここでその構成を省略する。
【００１６】
以上の説明は、本考案の一実施例に関するもので、この技術分野の当業者であれば、本考案の種々の変形例を考え得るが、それらはいずれも本考案の技術的範囲に包含される。特許請求の範囲の構成要素の後に記載した括弧内の番号は、図面の部品番号に対応し、考案の容易なる理解の為に付したものであり、考案を限定的に解釈するために用いてはならない。また、同一番号でも明細書と特許請求の範囲の部品名は必ずしも同一ではない。これは上記した理由による。用語「又は」に関して、例えば「Ａ又はＢ」は、「Ａのみ」、「Ｂのみ」ならず、「ＡとＢの両方」を選択することも含む。特に記載のない限り、装置又は手段の数は、単数か複数かを問わない。
【図１】
0003177500.tif 000003
【図２】
0003177500.tif 000004
【図３】
0003177500.tif 000005
【手続補正書】
【提出日】平成24年5月29日(2012.5.29)
【手続補正１】
【補正対象書類名】実用新案登録請求の範囲
【補正対象項目名】全文
【補正方法】変更
【補正の内容】
【実用新案登録請求の範囲】
【請求項１】
一端に２個の挿接端（2）を有するバックルヘッド（1）と、
前記２個の挿接端（2）の外側から着脱可能に連結される２個の係止レッグ（3）と
を有し、
前記２個の挿接端（2）は、前記バックルヘッド（1）の挿接方向である長手方向の中心軸に関し、反対側に配置され、
前記係止レッグ（3）は、前記バックルヘッド（１）の挿接方向に直交する方向に移動可能で、前記２個の挿接端（2）に、前記中心軸の外側から連結される
ことを特徴とするバックルヘッド。
【請求項２】
前記係止レッグ（3）と前記挿接端（2）との間に、前記係止レッグ（3）を、前記挿接端（2）の外側に押し出す弾性体（4）を設けている
ことを特徴とする請求項1に記載のバックルヘッド。
【請求項３】
前記挿接端（2）の外側端に、それぞれ前記バックルヘッド（1）の挿接方向に直交する方向に、案内溝（5）が開設され、
前記係止レッグ（3）に、前記案内溝（5）に平行な方向に、ガイドレール（6）が形成され、
前記ガイドレール（6）が、前記案内溝（5）内に、摺動可能に配置される
ことを特徴とする請求項1或は2に記載のバックルヘッド。
【請求項４】
前記挿接端（2）の両側に、それぞれ止め溝（8）を開設され、
前記係止レッグ（3）にストップピン（7）が固定され、
前記ストップピン（7）が、前記止め溝（8）内に摺動可能に挿入される
ことを特徴とする請求項3に記載のバックルヘッド。
【請求項５】
前記弾性体（4）は、スプリングであり、
前記スプリングの第一端が、前記係止レッグ（3）内側面の柱体に嵌り、
前記スプリングの第二端が、前記挿接端（2）の内側面に当たる
ことを特徴とする請求項4に記載のバックルヘッド。
【請求項６】
前記係止レッグ（3）の末端（9）が、内側に彎曲している
ことを特徴とする請求項5に記載のバックルヘッド。
【請求項７】
前記バックルヘッド（1）における挿接端（2）に対応する他端が、接続端（10）である
ことを特徴とする請求項6に記載のバックルヘッド。
【請求項８】
一端に２個の挿接端（2）を有するバックルヘッド（1）と、
前記２個の挿接端（2）の外側から着脱可能に連結される２個の係止レッグ（3）と
前記係止レッグ（3）と前記挿接端（2）との間に、前記係止レッグ（3）を、前記挿接端（2）の外側に押し出す弾性体（4）と、
前記挿接端（2）の外側に、それぞれ前記バックルヘッド（1）の挿接方向に直交する方向に、形成された案内溝（5）と、
前記係止レッグ（3）に前記案内溝（5）に平行な方向に形成されたガイドレール（6）と、
を有し、
前記２個の挿接端（2）は、前記バックルヘッド（1）の挿接方向である長手方向の中心軸に関し、反対側に配置され、
前記係止レッグ（3）は、前記バックルヘッド（１）の挿接方向に直交する方向に移動可能で、前記２個の挿接端（2）に、前記中心軸の外側から連結され、
前記ガイドレール（6）が、前記案内溝（5）内に摺動可能に配置されており、
前記係止レッグ（3）の末端（9）が、内側に彎曲している
ことを特徴とするバックルヘッド。
【手続補正２】
【補正対象書類名】明細書
【補正対象項目名】全文
【補正方法】変更
【補正の内容】
【考案の詳細な説明】
【技術分野】
【０００１】
本考案は、バックルの技術分野に関し、具体的にバックルヘッドに関する。
【背景技術】
【０００２】
図1に示すように、バックルは、係止して嵌合するためのバックルヘッド１とバックル主体とを含む。バックルヘッド1の一端は、挿接端2であり、バックルヘッド1の挿接端2に対応する他端が接続端10である。接続端10でバックルヘッド1にスリング等の接続体を穿設でき、挿接端2が、その対応するバックル主体に挿接嵌合する。挿接端2の左右両側からそれぞれ一つの弾性的な挿接レッグ20が延出し、バックルヘッド1の挿接過程中、弾性挿接レッグ20が自身の弾性変形によりバックル主体における係合位置に係合し、バックルへの嵌合を実現する。同様に、バックルを解く際は、弾性挿接レッグ20を押して、弾性挿接レッグ20をバックル主体における係合位置から外すと、バックルが解放される。しかしながら、バックルの使用過程で、挿接レッグ20が何度も折曲げられることにより、疲労応力を生じる、挿接レッグ20が折れやすい。挿接レッグ20がバックルヘッド1と一体に成型されているので、挿接レッグ20が折れると、バックルヘッド1が使用できなく、またバックルヘッド1は補修できず、バックル或はバックルヘッド1全体を取り替える必要がある。
【考案の概要】
【考案が解決しようとする課題】
【０００３】
本考案の目的は、バックルヘッドが分離可能な係止レッグを有し、この係止レッグは折れ難いか或は損壊し難く、且つバックルヘッドが補修でき、係止レッグを取り替え可能なバックルヘッドを提供することである。
【課題を解決するための手段】
【０００４】
上記の目的を達成するために、本考案は以下により実現できる。
本考案のバックルヘッドは、バックルヘッド１の一端が挿接端２であり、この挿接端２の左右両側にそれぞれ着脱できる係止レッグ３を摺動可能に設けている。
係止レッグと挿接端との間に、係止レッグを外へ押し出す弾性体を設けている。
【０００５】
挿接端２の左右両側に、バックルヘッド１の挿接方向に直交する案内溝５を開設され、係止レッグ３上に案内溝５に平行にガイドレール６を形成し、係止レッグ３のガイドレール６が、摺動するよう、挿接端２の案内溝５内に嵌っている。
挿接端２の両側にそれぞれ止め溝８を設け、係止レッグ３上にストップピン７を固定し、ストップピン７が止め溝８に挿入される。
弾性体４がスプリングの場合、スプリング４の第一端が、係止レッグ３内側面の柱体上に嵌設され、スプリング４の第二端が挿接端２の内側面に当たる。
係止レッグの末端が内へ彎曲し、係止レッグの末端が案内曲面を成型してなる。
バックルヘッドにおける挿接端２に対応する他端が接続端となる。
【０００６】
本考案は、バックル主体及び上記のバックルヘッドを含み、バックルヘッドがバックル主体に係止可能に嵌合するバックルである。
本考案の効果：バックルヘッドの一方端が挿接端２があり、挿接端２の左右両側に、摺動可能に着脱できる係止レッグ３を設けている。本考案のバックルヘッドは、分離可能な係止レッグを採用する。係止レッグ３が折れ難いか或は損壊し難く、且つバックルヘッドが補修できるとともに、係止レッグ３を取り替えることができる。
【０００７】
本考案のバックルは、バックル主体及び上記のバックルヘッドを含む。バックルヘッドはバックル主体に係止可能に嵌合し、またバックルにおけるバックルヘッドが分離式の係止レッグ３を採用する。
【図面の簡単な説明】
【０００８】
【図１】従来技術のバックルヘッドの構造図；
【図２】本考案のバックルヘッドの組立図；
【図３】本考案のバックルヘッドの分解図。
【考案を実施するための形態】
【０００９】
図2及び3を参照すると、バックルヘッド1の一方端が挿接端2である。挿接端2が対応するバックル主体に挿接して嵌合する。バックル主体（例、ベルト）は、独立した部品である（バックル主体は図示せず）。バックルヘッド1の挿接端2に対応する他端が、接続端10となり、接続端10によりバックルヘッド1内にスリング等の接続体を穿設できる。
【００１０】
上記挿接端2の左右両側に、それぞれ摺動可能に着脱可能な係止レッグ3を設けている。係止レッグ3は着脱できる。係止レッグ3は一つの独立の部品であり、係止レッグ3を取り替えることができ、バックルヘッド1が補修可能な部品となる。係止レッグ3はバックルヘッド1に対し摺動でき、図１に示す従来構成のように、彎曲変形によりバックル（係合）動作を実現するのではなく、係止レッグ3が摺動方式によりバックル動作を実現できるため、係止レッグ3の構造的な強度がより高く、係止レッグ3がより堅実になり、係止レッグ3は損壊されづらく、係止レッグ3が折れづらくなる。
【００１１】
挿接端2の左右両側にそれぞれ案内溝5が開設されている。案内溝5は、バックルヘッド1の挿接方向（図では上下方向）に直交する。係止レッグ3上に案内溝5に平行するようガイドレール6を形成する。係止レッグ3のガイドレール6が挿接端2の案内溝5内に摺動可能に設けられる。上記係止レッグ3と挿接端2との間に、係止レッグ3を外向き弾き出するための弾性体4を設ける。挿接端2の左側面の凹溝及び挿接端2左側の係止レッグ3が、一つの案内係合部位として形成し、挿接端2の右側面の凹溝及び挿接端2右側の係止レッグ3が形成一つのガード係合部位を形成する。挿接端2の両側にそれぞれ止め溝8を開設されており、係止レッグ3上にストップピン7を固定しており、ストップピン7が止め溝8内に挿入される。
【００１２】
係止レッグ3を取付ける時に、バックルヘッド1の挿接端2の左右両側に、それぞれスプリング４を装入して、係止レッグ3を挿入し、再びストップピン7を取付ければ、バックルヘッド1の組立を完了するので、組立動作が簡単便利である。バックルヘッド1を外す時は、ストップピン7が外れて、バックルヘッド1の挿接端2の左右両側の係止レッグ3及びスプリングを取り出することができ、着脱動作がより簡単便利である。且つ、バックルヘッド1上にある係止レッグ3及びスプリング４とも取り替えることができ、補修が容易になる。
【００１３】
上記弾性体4がスプリングの場合、スプリングの第一端が係止レッグ3内側面の柱体上に嵌り、スプリングの第二端が挿接端2の内側面に当たる。上記係止レッグ3の末端9が内向き彎曲し、係止レッグ3の末端9が案内曲面を形成する。
【００１４】
案内溝5及びガイドレール6の設置は、係止レッグ3を設定の方向に沿って摺動させて行う。これにより係止レッグ3がバックルヘッド1に垂直する挿接方向のみに沿って摺動する。バックルヘッド1が対応するバックル主体に挿接する時、係止レッグ3が押されてバックルヘッド1の内側方向へ摺動し、係止レッグ3がバックル主体における案内部位を越した後、係止レッグ3がスプリングの作用で外へ弾き出され、係止レッグ3がバックルヘッド1をバックル主体上にロックアップし、接続できる。一方、バックルを解く時、係止レッグ3に圧力を加えると、係止レッグ3が押されてバックルの内側方向へ摺動し、バックルヘッド1がロック解除状態になる。この場合には、バックルヘッド1がバックル主体から分離でき、バックルヘッド1とバックル主体とが分離した後、係止レッグ3がスプリングの作用下で外へ押し出される。
【００１５】
本考案のバックルは、バックル主体及び上記のバックルヘッドを含み、バックルヘッドがバックル主体に係止可能に嵌合する。
【００１６】
以上の説明は、本考案の一実施例に関するもので、この技術分野の当業者であれば、本考案の種々の変形例を考え得るが、それらはいずれも本考案の技術的範囲に包含される。特許請求の範囲の構成要素の後に記載した括弧内の番号は、図面の部品番号に対応し、考案の容易なる理解の為に付したものであり、考案を限定的に解釈するために用いてはならない。また、同一番号でも明細書と特許請求の範囲の部品名は必ずしも同一ではない。これは上記した理由による。用語「又は」に関して、例えば「Ａ又はＢ」は、「Ａのみ」、「Ｂのみ」ならず、「ＡとＢの両方」を選択することも含む。特に記載のない限り、装置又は手段の数は、単数か複数かを問わない。